(57)【要約】【課題】通常のプリンタにパノラマ画像をトリミングさせずに印刷させる。【解決手段】デジタルカメラを直接プリンタに接続する。デジタルカメラにおいて印刷動作を制御する。印刷させる画像がパノラマ画像であるか否かを判別する（Ｓ１０４）。パノラマ画像で無い場合は、そのままプリンタに画像信号を送信する（Ｓ１０５）。パノラマ画像である場合は、パノラマ画像の上下に余白画像を付加した合成画像をＳＤＲＡＭ上に作成する（Ｓ１０６）。合成画像に相当する合成画像信号をプリンタに送信する（Ｓ１０７）。ＳＤＲＡＭに格納された合成画像信号を破棄する（Ｓ１０８）。【選択図】図１０
2009182937.tif 000002
【特許請求の範囲】
【請求項１】
デジタルカメラまたはプリンタに設けられ、アスペクト比が所定の第１のアスペクト比である矩形画像を印刷可能範囲内全体に印刷する印刷ユニットに前記矩形画像を含む画像に相当する第１の画像信号を送信する画像信号処理ユニットであって、
前記第１のアスペクト比と異なる第２のアスペクト比である元画像に相当する元画像信号を受信する受信部と、
前記第２のアスペクト比より前記第１のアスペクト比に近いアスペクト比、または前記第１のアスペクト比である合成画像に相当する合成画像信号を、前記元画像の辺と同じ長さの辺を有する欄外画像を前記元画像の辺に付加する信号処理を前記元画像信号に施すことにより合成する欄外画像付加部と、
前記合成画像信号を前記第１の画像信号として、前記印刷ユニットに送信する送信部とを備える
ことを特徴とする画像信号処理システム。
【請求項２】
前記合成画像信号は、前記送信部から前記印刷ユニットに送信された後に、破棄されることを特徴とする請求項１に記載の画像信号処理システム。
【請求項３】
前記欄外画像付加部は、
前記第２のアスペクト比が前記第１のアスペクト比より大きい場合には、前記元画像の横辺に前記欄外画像を付加し、
前記第２のアスペクト比が前記第１のアスペクト比より小さい場合には、前記元画像の縦辺に前記欄外画像を付加する
ことを特徴とする請求項１または請求項２に記載の画像信号処理システム。
【請求項４】
前記合成画像は、前記元画像を２つの前記欄外画像により挟んだ画像であることを特徴とする請求項１〜請求項３のいずれか１項に記載の画像信号処理システム。
【請求項５】
前記欄外画像は全体が白色であって、前記元画像の余白となることを特徴とする請求項１〜請求項４のいずれか１項に記載の画像信号処理システム。
【請求項６】
前記受信部は前記デジタルカメラの撮像により生成された第２の画像信号も受信可能であり、
前記欄外画像付加部は、受信した前記画像信号が前記元画像信号である場合に、前記合成画像信号を合成する
ことを特徴とする請求項１〜請求項５のいずれか１項に記載の画像信号処理システム。
【請求項７】
アスペクト比が所定の第１のアスペクト比である矩形画像を印刷可能範囲内全体に印刷するプリンタに前記矩形画像を含む画像に相当する第１の画像信号を送信可能なデジタルカメラであって、
前記第１のアスペクト比と異なる第２のアスペクト比である元画像に相当する元画像信号を格納するメモリと、
前記第１のアスペクト比である合成画像に相当する合成画像信号を、前記元画像の辺に欄外画像を付加する信号処理を前記元画像信号に施すことにより合成する欄外画像付加部と、
前記合成画像信号を前記第１の画像信号として、前記プリンタに送信する送信部とを備える
ことを特徴とするデジタルカメラ。
【請求項８】
アスペクト比が第２のアスペクト比である元画像に相当する元画像信号を受信する受信部と、
前記第２のアスペクト比と異なる第１のアスペクト比である合成画像に相当する合成画像信号を、前記元画像の辺に欄外画像を付加する信号処理を前記元画像信号に施すことにより合成する欄外画像付加部と、
前記合成画像信号を前記第１のアスペクト比で、印刷可能範囲全体に印刷する印刷部とを備える
ことを特徴とするプリンタ。
【発明の詳細な説明】
【技術分野】
【０００１】
本発明は、パノラマ画像のように、所定の印刷規格と異なる画像全体が印刷されるような画像信号処理を施す画像信号処理ユニットに関する。
【背景技術】
【０００２】
近年のデジタルカメラには、撮像した画像を記憶する着脱可能な記憶媒体を備えている。また、デジタルカメラにより撮像された画像に相当する画像信号をＰＣ等介すること無く記憶媒体を介して直接受信させ、印刷可能なプリンタも知られている。
【０００３】
通常のデジタルカメラでは、撮像する画像のアスペクト比が、例えば第１のアスペクト比に定められている。前述のようなプリンタでは、デジタルカメラとプリンタ間の共通の規格によって、受信した画像信号に相当する画像が第１のアスペクト比の印刷範囲全面に印刷される。
【０００４】
ところで、近年のデジタルカメラの中には、複数回の撮像により撮像した連続する画像を接続することにより、パノラマ画像を撮像記録可能なものが知られている。
【０００５】
パノラマ画像のアスペクト比は第１のアスペクト比と異なっている。このようなパノラマ画像全体が印刷されるプリンタが提案されている（特許文献１、特許文献２参照）。しかし、特許文献２および特許文献３に記載のプリンタでは、パノラマ画像印刷用の用紙に選択したときに、パノラマ画像全体が印刷される。
【０００６】
パノラマ画像信号を特許文献１および特許文献２で提案されたプリンタのように、パノラマ画像を印刷する設定が出来ずに第１のアスペクト比で印刷するプリンタでは、パノラマ画像の一部をトリミングして切り出した第１のアスペクト比の画像部分のみが印刷される。
【０００７】
したがって、特殊な印刷モードを持たない通常のプリンタでは、パノラマ画像全体を印刷することが出来なかった。
【特許文献１】特開２０００−３６９０３号公報
【特許文献２】特開平１１−２２７２６５号公報
【発明の開示】
【発明が解決しようとする課題】
【０００８】
したがって、本発明ではパノラマ画像のように通常のプリンタで設定されたアスペクト比と異なる画像も画像全体を印刷可能とする画像信号処理システムの提供を目的とする。
【課題を解決するための手段】
【０００９】
本発明の画像信号処理システムは、デジタルカメラまたはプリンタに設けられアスペクト比が所定の第１のアスペクト比である矩形画像を印刷可能範囲内全体に印刷する印刷ユニットに矩形画像を含む画像に相当する第１の画像信号を送信する画像信号処理ユニットであって、第１のアスペクト比と異なる第２のアスペクト比である元画像に相当する元画像信号を受信する受信部と、第２のアスペクト比より第１のアスペクト比に近いアスペクト比または第１のアスペクト比である合成画像に相当する合成画像信号を元画像の辺と同じ長さの辺を有する欄外画像を元画像の辺に付加する信号処理を元画像信号に施すことにより合成する欄外画像付加部と、合成画像信号を第１の画像信号として印刷ユニットに送信する送信部とを備えることを特徴としている。
【００１０】
さらに、合成画像信号は送信部から印刷ユニットに送信された後に、破棄されることが好ましい。
【００１１】
さらに、欄外画像付加部は、第２のアスペクト比が第１のアスペクト比より大きい場合には元画像の横辺に前記欄外画像を付加し、第２のアスペクト比が第１のアスペクト比より小さい場合には元画像の縦辺に欄外画像を付加することが好ましい。
【００１２】
さらに、合成画像は元画像を２つの欄外画像により挟んだ画像であることが好ましい。
【００１３】
さらに、欄外画像は全体が白色であって、元画像の余白となることが好ましい。
【００１４】
さらに、受信部はデジタルカメラの撮像により生成された第２の画像信号も受信可能であり、欄外画像付加部は受信した画像信号が元画像信号である場合に合成画像信号を合成することが好ましい。
【００１５】
本発明のデジタルカメラは、アスペクト比が所定の第１のアスペクト比である矩形画像を印刷可能範囲内全体に印刷するプリンタに矩形画像を含む画像に相当する第１の画像信号を送信可能なデジタルカメラであって、第１のアスペクト比と異なる第２のアスペクト比である元画像に相当する元画像信号を格納するメモリと、第１のアスペクト比である合成画像に相当する合成画像信号を元画像の辺に欄外画像を付加する信号処理を前記元画像信号に施すことにより合成する欄外画像付加部と、合成画像信号を第１の画像信号としてプリンタに送信する送信部とを備えることを特徴としている。
【００１６】
本発明のプリンタは、アスペクト比が第２のアスペクト比である元画像に相当する元画像信号を受信する受信部と、第２のアスペクト比と異なる第１のアスペクト比である合成画像に相当する合成画像信号を元画像の辺に欄外画像を付加する信号処理を元画像信号に施すことにより合成する欄外画像付加部と、合成画像信号を第１のアスペクト比で印刷可能範囲全体に印刷する印刷部とを備えることを特徴としている。
【発明の効果】
【００１７】
本発明によれば、通常のプリンタで設定されたアスペクト比と異なるアスペクト比である画像全体を印刷させることが可能となる。
【発明を実施するための最良の形態】
【００１８】
以下、本発明の実施形態について図面を参照して説明する。
図１は、本発明の一実施形態を適用した画像信号処理システムを有するデジタルカメラの内部構成を概略的に示すブロック図である。
【００１９】
デジタルカメラ１０は、レンズ１１、撮像素子１２、ＡＦＥ１３、画像信号処理回路１４、ＳＤＲＡＭ１５、制御部１６、メモリカード１７、ＬＣＤ１８、Ｉ／Ｆ１９、および入力部２０などによって構成される。
【００２０】
レンズ１１は、撮像素子１２に光学的に接続される。レンズ１１を透過する被写体の光学像が撮像素子１２の受光面に入射する。撮像素子１２は、例えばＣＣＤイメージセンサである。受光面において被写体の光学像が受光されることにより、光学像に対応する画像信号が生成される。なお、受光面における有効撮影領域のアスペクト比は、第１のアスペクト比に定められている。
【００２１】
撮像素子１２において生成された画像信号は、ＡＦＥ１３において所定の信号処理が施され、さらにアナログ信号からデジタル信号に変換される。デジタル信号に変換された画像信号は、画像信号処理回路１４に送られる。
【００２２】
画像信号処理回路１４に送られた画像信号は、信号処理の作業用メモリであるＳＤＲＡＭ１５に格納される。ＳＤＲＡＭ１５に格納された画像信号に対して、画像信号処理回路１４によって所定の信号処理が施される。
【００２３】
撮影待機状態において所定の信号処理が施された画像信号は、ＬＣＤ１８に送信される。ＬＣＤ１８に受光した画像が表示される。撮影待機状態においては、所定の周期で画像信号の生成しＬＣＤ１８に表示する画像を切替えることにより、撮像素子１２が受光しているライブ画像が表示される。
【００２４】
レリーズボタン（図示せず）を押下したときに撮影が行われる。撮影時に生成され所定の信号処理が施された画像信号は、メモリカード１７に送信され、格納される。なお、メモリカード１７はデジタルカメラ１０から着脱可能な記憶媒体である。
【００２５】
画像再生時には、撮影された画像がＬＣＤ１８に表示される。すなわち、メモリカード１７に格納された画像信号が選択されて、画像信号処理回路１４を介してＬＣＤ１８に送信される。送信された画像信号に相当する画像がＬＣＤ１８に表示される。
【００２６】
画像信号処理回路１４を含むデジタルカメラ１０の各部位の動作は、制御部１６によって制御される。制御部１６は、レリーズボタン、十字キースイッチ（図示せず）、および主電源ボタン（図示せず）などによって構成される入力部２０に接続される。使用者による入力部２０への操作入力に応じて制御部１６は、各部位の制御を行なう。
【００２７】
また、制御部１６は、Ｉ／Ｆ１９に接続される。Ｉ／Ｆ１９は、ケーブル（図示せず）などを介してＰＣ（図示せず）やプリンタ（図１において図示せず）などに接続可能である。
【００２８】
デジタルカメラ１０は、パノラマ写真撮影機能を有している。入力部２０への操作入力によりパノラマ写真撮影機能をＯＮにすることにより、パノラマ写真撮影が可能となる。パノラマ写真撮影では、複数の写真を撮影すると、デジタルカメラ１０によって横長の写真となるように画像処理が行われる。いかにパノラマ写真撮影機能について詳細に説明する。
【００２９】
パノラマ写真撮影機能をＯＮにすると、通常の写真撮影と同じ撮影待機状態となる。前述のように、撮像素子１２に受光される光学像がライブ画像としてＬＣＤ１８に表示される。レリーズボタンを押下して撮影を実行すると、１枚目の画像が撮影される。
【００３０】
１枚目の画像に相当する画像信号は、ＳＤＲＡＭ１５に格納される。１枚目の画像の撮影後、再びデジタルカメラ１０は撮影待機状態となる。通常の写真撮影における撮影待機状態と異なり、２枚目の画像の撮影待機状態ではＬＣＤ１８上においてライブ画像に重畳して１枚目の画像の一部の被写体の輪郭が表示される。
【００３１】
例えば、図２に示すような画像を１枚目の画像Ｉ１として撮影すると、２枚目の画像Ｉ２の撮影待機状態において、図３に示すようにＬＣＤ１８の左端側に、１枚目の画像Ｉ１の右端近辺の光学像の輪郭（符号Ａ参照）がライブ画像に重畳して表示される。
【００３２】
ＬＣＤ１８に表示される１枚目の画像Ｉ１の輪郭の一部とライブ画像として表示される被写体の輪郭とが重なるように（図４参照）、使用者はデジタルカメラ１０を移動させ、２枚目の画像を撮像する。
【００３３】
２枚目の画像Ｉ２を撮像すると、１枚目の画像Ｉ１と２枚目の画像Ｉ２とが接続され、図５に示すようなパノラマ画像ＰＰ（元画像）が生成される。パノラマ画像に相当するパノラマ画像信号（元画像信号）がメモリカード１７に格納される。
【００３４】
次に、デジタルカメラ１０に接続され、ＰＣなどを介すること無く直接デジタルカメラ１０に撮影された写真を印刷可能なプリンタの内部構成について図６を用いて説明する。なお、デジタルカメラ１０およびプリンタ３０（プリントユニット）は、ＰＣなどを介さずにデジタルカメラの写真をプリンタで直接印刷するための共通の規格である第１の規格が適用されている。
【００３５】
プリンタ３０は、Ｉ／Ｆ３１、制御部３２、ワークメモリ３３、画像信号処理回路３４、プリント部３５、印刷用紙搬送部３６、および入力部３７などによって構成される。
【００３６】
Ｉ／Ｆ３１は、ケーブルＣＡなどを介してデジタルカメラ１０やＰＣなどに接続される。デジタルカメラ１０やＰＣから送信される画像信号（第１の画像信号）がＩ／Ｆ３１に受信される。また、Ｉ／Ｆ３１において、プリンタ３０に印刷を開始させるための印刷指令信号も受信可能である。
【００３７】
Ｉ／Ｆ３１において受信した画像信号は、制御部３２を介してワークメモリ３３に格納される。制御部３２は画像信号処理回路３４を制御して、ワークメモリ３３に格納された画像信号に対して画像信号処理回路３４に所定の信号処理を施させる。
【００３８】
所定の信号処理の施された画像信号は、プリント部３５に送信される。画像信号がプリント部３５に送信されると、制御部３２は印刷用紙搬送部３６を駆動させ、画像を印刷する用紙をプリント部３５に搬送させる。プリント部３５により、搬送された用紙に画像信号に相当する画像が印刷される。
【００３９】
プリンタ３０は、デジタルカメラ１０などの制御によらず印刷することも出来る。例えば、Ｉ／Ｆ３１を介してデジタルカメラ１０などにプリンタ３０を接続し、入力部３７への入力によりデジタルカメラ１０に格納された画像信号を読出し、画像を印刷することも可能である。なお、Ｉ／Ｆ３１において、デジタルカメラ１０などに格納されている画像信号の送信を要求する要求指令の送信が可能である。
【００４０】
次に、デジタルカメラ１０側の制御によるプリンタ３０における写真の印刷について説明する。デジタルカメラ１０の入力部２０への使用者による操作入力により、画像がプリンタ３０により印刷される。
【００４１】
まず、使用者によりメモリカード１７に格納された複数の画像信号の中から印刷させる画像信号が選択される。使用者が選択した画像の印刷を実行する操作入力を実行すると、選択した画像信号がプリンタ３０に送信される。なお、パノラマ画像が選択されると、デジタルカメラ１０によりパノラマ画像信号に対して後述する信号処理が施され、合成画像信号が生成され、プリンタ３０に送信される。
【００４２】
プリンタ３０では、受信した画像信号に対して前述のように所定の信号処理が施される。なお、所定の信号処理の中には、以下に説明するトリミング処理が含まれる。
【００４３】
前述の第１の規格では、印刷する画像の横辺の縦辺に対する比であるアスペクト比は第１のアスペクト比に定められている。プリンタ３０が受信する画像信号に相当する画像である受信画像のアスペクト比が第１のアスペクト比と異なるときに、トリミング処理が施される。
【００４４】
図７に示すように、受信画像ＲＩのアスペクト比が第１のアスペクト比より大きい場合、受信画像ＲＩの左右の端部を取り除いた印刷画像ＴＩのアスペクト比が第１のアスペクト比となるように、受信画像ＲＩがトリミングされる。また、図８に示すように、受信画像ＲＩのアスペクト比が第１のアスペクト比より小さい場合、受信画像ＲＩの上下の端部を取り除いた印刷画像ＴＩのアスペクト比が第１のアスペクト比となるように、受信画像ＲＩがトリミングされる。トリミングによって作成される印刷画像ＴＩがプリント部３５により印刷可能範囲全体に印刷される。
【００４５】
次に、印刷する画像として使用者が選択する画像が、アスペクト比が第１のアスペクト比と異なる第２のアスペクト比であるパノラマ画像ＰＩである場合に、デジタルカメラ１０により実行される信号処理について説明する。
【００４６】
パノラマ画像ＰＩが選択され、使用者により印刷実行の操作入力が入力部２０になされると、パノラマ画像信号がメモリカード１７から読出され、画像信号処理回路１４に受信される。パノラマ画像信号は、ＳＤＲＡＭ１５に格納される。
【００４７】
画像信号処理回路１４は、ＳＤＲＡＭ１５に格納された画像信号に信号処理を施して、パノラマ画像ＰＩの上下の辺すなわち長辺に余白画像ＭＩを付加した合成画像ＳＩ（図９参照）を生成する。
【００４８】
合成画像ＳＩを作成する前に、合成画像ＳＩのアスペクト比が第１のアスペクト比となるように、余白画像ＭＩの寸法が定められる。まず、パノラマ画像ＰＩの長辺を横辺（長さａ）としてアスペクト比が第１のアスペクト比αとなる縦辺の長さａ／αが求められる。求められた縦辺の長さａ／αからパノラマ画像ＰＩの縦辺の長さｂを引いて、２で割ることにより、２つの余白画像ＭＩの縦辺の長さ（ａ／α−ｂ）／２が求められる。余白画像ＭＩの寸法は、横辺の長さがａ、縦辺の長さが（ａ／α−ｂ）／２である矩形に定められる。
【００４９】
定められた寸法の矩形全体が白色である余白画像ＭＩが前述のようにパノラマ画像ＰＩの上辺および下辺に付加されることにより、合成画像ＳＩが作成される。作成された合成画像ＳＩに相当する合成画像信号が、制御部１６およびＩ／Ｆ１９を介してプリンタ３０に送信される。合成画像信号は、プリンタ３０に送信終了後にＳＤＲＡＭ１５から破棄される。
【００５０】
次に、デジタルカメラ１０をプリンタ３０に接続して、メモリカード１７に記憶された画像をプリンタ３０に印刷させるときに、デジタルカメラ１０において制御部１６により実行される動作について、図１０のフローチャートを用いて説明する。図１０のフローチャートは、写真印刷時にデジタルカメラの各部位で実行される動作を説明するためのフローチャートである。
【００５１】
なお、デジタルカメラ１０のＩ／Ｆ１９の接続先をプリンタに設定して、Ｉ／Ｆ１９にケーブルを介してプリンタ３０に接続することにより、印刷のための制御が開始される。また、デジタルカメラ１０の電源をＯＦＦにするとき、またはプリンタ３０からの接続を解除すると印刷のための制御が終了する。
【００５２】
ステップＳ１００において、メモリカード１７に格納された画像信号の中で生成時期が最新である画像信号に相当する画像をＬＣＤ１８に表示させる。次のステップＳ１０１において、印刷させる画像を変更する操作入力を入力部２０が検出しているか否かを判別する。操作入力を検出する場合にはステップＳ１０２に進み、操作入力を検出しない場合はステップＳ１０２をスキップしてステップＳ１０３に進む。
【００５３】
ステップＳ１０２では、検出した操作入力に応じてＬＣＤ１８に表示する画像を変更させる。画像を変更すると、ステップＳ１０３に進む。ステップＳ１０３では、印刷を実行する操作入力を入力部２０が検出しているか否かを判別する。操作入力が無い場合はステップＳ１０１に戻り、印刷のための入力を入力部２０が検出するまで、ステップＳ１０１〜ステップＳ１０３の処理が繰返される。印刷のための操作入力を検出すると、ステップＳ１０４に進む。
【００５４】
ステップＳ１０４では、印刷する画像がパノラマ画像ＰＩであるか否かを判別する。パノラマ画像ＰＩでない場合にはステップＳ１０５に進み、パノラマ画像ＰＩである場合にはステップＳ１０６に進む。
【００５５】
ステップＳ１０５では、画像信号をプリンタ３０に送信させる。画像信号をプリンタ３０に送信させると、再びステップＳ１０１に戻る。
【００５６】
ステップＳ１０６では、パノラマ画像ＰＩに余白画像ＭＩを付加して合成画像ＳＩを作成する。なお、前述のように合成画像ＳＩに相当する画像信号はＳＤＲＡＭ１５に格納されている。合成画像ＳＩを作成すると、ステップＳ１０７に進み、合成画像信号をプリンタ３０に送信させる。合成画像信号の送信後、ステップＳ１０８において、ＳＤＲＡＭ１５に格納されている合成画像信号を破棄させる。合成画像信号の破棄後、再びステップＳ１０１に戻る。
【００５７】
以上のような構成の画像信号処理ユニットによれば、パノラマ画像ＰＩ全体と余白画像ＭＩとを含む合成画像ＳＩを作成してプリンタに送信するので、パノラマ画像ＰＩを印刷可能なプリンタでなくてもトリミングすること無く、パノラマ画像ＰＩを印刷させることが可能である。
【００５８】
また、合成画像信号を作成して、プリンタ３０への送信後に破棄するので、ＳＤＲＡＭ１５やメモリカード１７などの容量を無駄に消費することが防がれる。
【００５９】
なお、デジタルカメラ１０にではパノラマ画像と第１のアスペクト比である通常画像を指定して、連続して印刷させることも可能である。このような連続印刷においても、単一の大きさの印刷用紙に通常画像はそのまま、パノラマ画像は余白が付加されて印刷させることが可能である。したがって、再生時にパノラマ画像と通常画像を分別して、パノラマ画像の印刷のときにだけ特別な設定などをする必要もないため、使用者の利便性が改善される。
【００６０】
なお、本実施形態では、アスペクト比が第１のアスペクト比より大きいパノラマ画像ＰＩに対して余白画像ＭＩを付加させる構成であるが、アスペクト比が第１のアスペクト比より小さい画像に対しても余白画像ＭＩを付加して画像全体がプリンタ３０に印刷されるように信号処理を行う構成であってもよい。なお、アスペクト比が第１のアスペクト比より小さい画像に対しては横辺に余白画像ＭＩを付加させることにより、合成画像ＳＩのアスペクト比を第１のアスペクト比に一致させることが可能である。
【００６１】
また、本実施形態では、合成画像ＳＩのアスペクト比が第１のアスペクト比となるように、余白画像ＭＩがパノラマ画像ＰＩに付加される構成であるが、合成画像ＳＩのアスペクト比が第１のアスペクト比にならなくても、パノラマ画像ＰＩのアスペクト比より第１のアスペクト比に近い値になればよい。元のパノラマ画像ＰＩのアスペクト比より第１のアスペクト比に近ければ、プリンタ３０におけるトリミングにより削除される領域が減じられる効果を有する。
【００６２】
また、本実施形態では、パノラマ画像ＰＩに白色の余白画像ＭＩを付加する構成であるが、着色されていてもよく、また、模様などを含む画像（欄外画像）であってもよい。余白でなくても、パノラマ画像ＰＩ全体を印刷させることが可能である。
【００６３】
また、本実施形態では、パノラマ画像ＭＩの上下を同形の余白画像ＭＩで挟むことにより合成画像ＳＩを作成する構成であるが、形状の異なる余白画像ＭＩで挟んでもよく、または一方の横辺にのみ余白画像ＭＩを付加する構成であってもよい。
【００６４】
また、本実施形態では、プリンタ３０に送信する画像信号が通常の撮像により生成された画像信号であるかパノラマ画像信号であるかを判別して、合成画像信号を生成する構成であるが、判別せずに合成画像信号を生成する構成であってもよい。撮像素子１２の有効撮像領域のアスペクト比が第１のアスペクト比と異なる場合には、すべての画像信号に対して合成画像信号を生成させることにより、撮像した画像全体を印刷可能範囲全体に印刷させることが可能である。
【００６５】
また、本実施形態では、２つの画像を接続させたパノラマ画像ＰＩが作成され、２画像接続のパノラマ画像ＰＩに対する合成画像が作成される構成であるが、パノラマ画像ＰＩを作成するのに接続される画像は２つに限られない。３以上の画像を接続させたパノラマ画像ＰＩが作成され、作成されたパノラマ画像ＰＩに対する合成画像ＳＩが作成されてもよい。なお、パノラマ画像として接続する画像には上限が設けられてもよい。または、パノラマ画像としての撮像に上限が設けられなくても、印刷時にアスペクト比が所定の範囲から逸脱する画像の印刷を禁止する構成や、上述の通常画像との連続印刷が禁止される構成であってもよい。
【００６６】
また、本実施形態では、メモリカード１７に格納されたパノラマ画像信号を受信し、合成画像信号を生成する機能は、デジタルカメラ１０の画像信号処理回路１４に備えられるが、プリンタ３０に備える構成であってもよい。すなわち、プリンタ３０の画像信号処理回路３４によりメモリカード１７に格納されたパノラマ画像信号を受信させ、ワークメモリ３３に格納させ、ワークメモリ３３に格納したパノラマ画像信号に対して余白画像ＭＩを付加する信号処理を施させ、プリント部３５に合成画像信号を発信する構成であってもよい。
【図面の簡単な説明】
【００６７】
【図１】本発明の一実施形態を適用した画像信号処理システムを有するデジタルカメラを概略的に示すブロック図である。
【図２】パノラマ写真撮影における１枚目に撮像される画像の例である。
【図３】パノラマ写真撮影における２枚目の画像を撮像するための撮影待機状態においてＬＣＤに表示されるライブ画像の例である。
【図４】パノラマ写真撮影における２枚目の画像を撮像すべきときにＬＣＤに表示されるライブ画像の例である。
【図５】図２における１枚目の画像と図４における２枚目の画像を接続して作成したパノラマ画像の例である。
【図６】デジタルカメラに接続されるプリンタの内部構成を概略的に示すブロック図である。
【図７】受信画像のアスペクト比が第１のアスペクト比より大きい場合に、トリミングされる範囲を示す図である。
【図８】受信画像のアスペクト比が第１のアスペクト比より小さい場合に、トリミングされる範囲を示す図である。
【図９】パノラマ画像に対して余白画像を付加して合成画像を作成する概念を説明するための図である。
【図１０】写真印刷時にデジタルカメラの各部位で実行される動作を説明するためのフローチャートである。
【符号の説明】
【００６８】
１０  デジタルカメラ
１２  撮像素子
１４  画像信号処理回路
１５  ＳＤＲＡＭ
１６  制御部
１７  メモリカード
１８  ＬＣＤ
１９  Ｉ／Ｆ
３０  プリンタ
３１  Ｉ／Ｆ
３２  制御部
３３  ワークメモリ
３４  画像信号処理回路
３５  プリント部
ＭＩ  余白画像
ＲＩ  受信画像
ＰＩ  パノラマ画像
ＳＩ  合成画像
ＴＩ  印刷画像
【図１】
2009182937.tif 000003
【図２】
2009182937.tif 000004
【図３】
2009182937.tif 000005
【図４】
2009182937.tif 000006
【図５】
2009182937.tif 000007
【図６】
2009182937.tif 000008
【図７】
2009182937.tif 000009
【図８】
2009182937.tif 000010
【図９】
2009182937.tif 000011
【図１０】
2009182937.tif 000012